(57)【要約】【課題】精度良くモジュール間の着弾位置ずれシフト量を測定する。【解決手段】ヘッドモジュールを複数接続して繋ぎ合わせて配置されるインクジェットヘッドのヘッドモジュール間の位置ずれ解析方法であって、印字パターンを分割し、分割パターンを作成する分割パターン作成工程と、ノズルの変換係数を求める変換係数計算工程と、標準誤差の最小値を求める標準誤差計算工程と、分割パターンの分割数を変更し、標準誤差を計算ずる繰り返し工程と、標準誤差の値が最小となる分割数、ノズル数を決定する決定工程と、分割数、ノズル数を用いてヘッドモジュール間の位置ずれシフト量を計算するシフト量計算工程と、を有するヘッドモジュール間の位置ずれ解析方法、および、インクジェットヘッドの調整方法である。【選択図】図８
2014083720.tif 000002
【特許請求の範囲】
【請求項１】
液体を吐出する複数のノズルが配置されたヘッドモジュールを複数接続して繋ぎ合わせ、隣り合う前記ヘッドモジュール同士には重ね合わせ領域を有するインクジェットヘッドの前記ヘッドモジュール間の位置ずれ解析方法であって、
前記ヘッドモジュールによる印字パターンを分割し、分割パターンを作成する分割パターン作成工程と、
前記分割パターンのそれぞれの前記ノズルの変換係数を求める変換係数計算工程と、
計算に使用するノズル数を変更することで、前記ヘッドモジュール間の位置ずれシフト量の標準誤差の最小値を求める標準誤差計算工程と、
前記分割パターンの分割数を変更し、変更後の分割パターンで、前記変換係数計算工程および前記標準誤差計算工程を行う繰り返し工程と、
前記標準誤差の値が最小となる前記分割数、前記ノズル数を決定する決定工程と、
前記決定工程により決定した前記分割数で解析パターンを作成し、前記ノズル数のノズルの前記位置ずれシフト量の平均から前記ヘッドモジュール間の位置ずれシフト量を計算するシフト量計算工程と、を有するヘッドモジュール間の位置ずれ解析方法。
【請求項２】
前記分割パターン作成工程の分割を、ノズルラインを等間隔に分割する請求項１に記載のヘッドモジュール間の位置ずれ解析方法。
【請求項３】
前記決定工程後に、前記決定工程により決定した前記分割数で、少なくとも１つ以上のノズルを他方のモジュールのノズルに変更し、前記分割パターンを作成する分割パターン変更工程を有し、
前記分割パターン変更工程後の分割パターンで、前記変換係数計算工程と、前記標準誤差計算工程と、を行う請求項１または２に記載のヘッドモジュール間の位置ずれ解析方法。
【請求項４】
前記分割パターン作成工程の分割を、ノズルラインのノズルの間隔が等間隔でなく分割する請求項１に記載のヘッドモジュール間の位置ずれ解析方法。
【請求項５】
前記標準誤差を、変換係数×ランダム着弾ずれ／√（計算に使う総ノズル数）で計算する請求項１から４のいずれか１項に記載のヘッドモジュール間の位置ずれ解析方法。
【請求項６】
前記標準誤差計算工程において、前記変換係数の小さいノズルから使用し、前記標準誤差を計算する請求項１から５のいずれか１項に記載のヘッドモジュール間の位置ずれ解析方法。
【請求項７】
前記シフト量計算工程におけるヘッドモジュール間の位置ずれシフト量は、各ノズルの変換係数×位置ずれ量から求め、
前記位置ずれ量は、前記解析パターンの前記ノズルの両側の分割パターンのノズルラインを用いて近似曲線を作成し、該当するノズルの近似曲線の位置と、実際の打滴位置との差により求める請求項１から６のいずれか１項に記載のヘッドモジュール間の位置ずれ解析方法。
【請求項８】
前記近似曲線に用いられる前記ノズルの数が、該当するノズルの両側のそれぞれ１５本を用いる請求項７に記載のヘッドモジュール間の位置ずれ解析方法。
【請求項９】
請求項１から８のいずれか１項に記載のヘッドモジュール間の位置ずれ解析方法をコンピュータに起動させるためのプログラム。
【請求項１０】
請求項１から８のいずれか１項に記載のヘッドモジュール間の位置ずれ解析方法により測定したヘッドモジュール間の位置ずれシフト量Δｘを用いて、前記ヘッドモジュール間の位置を調整するインクジェットヘッドの調整方法。
【発明の詳細な説明】
【技術分野】
【０００１】
本発明はヘッドモジュール間の位置ずれ解析方法、プログラム、および、インクジェットヘッドの調整方法に関する。
【背景技術】
【０００２】
インクジェット描画の分野では、高い描画解像度と高生産性を実現するために、多数のノズルを二次元状に配列したヘッドモジュールを形成し、これを記録媒体幅方向に複数個並べて記録媒体全幅の描画領域をカバーする長尺のヘッド（フルライン型ヘッド）を構成している。この長尺ヘッドの幅方向と直交する方向に記録媒体を１回だけ相対走査を行なうことにより、記録媒体上に画像を形成するインクジェット描画方式（シングルパス方式）が知られている。
【０００３】
このように、ヘッドモジュールを複数個並べてインクジェットヘッドを形成した場合、精度良くヘッドモジュールの繋ぎ合わせを行わないと、ヘッドモジュール全体が隣り合うモジュールのいずれかの方向に移動（シフト）するため、ヘッドモジュールの繋ぎ合わせ部において、ノズル間隔が異なり、形成される画像品質が低下するという課題があった。
【０００４】
このような課題を解決するため、例えば下記の特許文献１には、隣り合う短尺ヘッドのそれぞれの記録を行い、記録パターンを形成し、位置を検出することが記載されている。また、下記の特許文献２には、所定濃度の小パターンを印刷し、印刷された画像部分の濃度の差に基づいて、ノズル列の位置を決定することが記載されている。
【先行技術文献】
【特許文献】
【０００５】
【特許文献１】特開２００２−７９６５７号公報
【特許文献２】特開２０１１−７３１８５号公報
【発明の概要】
【発明が解決しようとする課題】
【０００６】
しかしながら、特許文献１に記載されている方法では、精度が十分でなく、更なる精度向上が必要であった。また、特許文献２に記載されている方法では、濃度測定により適切な位置を決定させているため、吐出滴体積のばらつきの影響を受ける、チャート濃度により結果が変わるという課題があった。
【０００７】
本発明はこのような事情に鑑みてなされたものであり、精度良くモジュール間の着弾位置ずれシフト量を測定できるヘッドモジュール間の位置ずれ解析方法、プログラム、および、インクジェットヘッドの調整方法を提供することを目的とする。
【課題を解決するための手段】
【０００８】
本発明は前記目的を達成するために、液体を吐出する複数のノズルが配置されたヘッドモジュールを複数接続して繋ぎ合わせ、隣り合うヘッドモジュール同士には重ね合わせ領域を有するインクジェットヘッドのヘッドモジュール間の位置ずれ解析方法であって、ヘッドモジュールによる印字パターンを分割し、分割パターンを作成する分割パターン作成工程と、分割パターンのそれぞれのノズルの変換係数を求める変換係数計算工程と、計算に使用するノズル数を変更することで、ヘッドモジュール間の位置ずれシフト量の標準誤差の最小値を求める標準誤差計算工程と、分割パターンの分割数を変更し、変更後の分割パターンで、変換係数計算工程および標準誤差計算工程を行う繰り返し工程と、標準誤差の値が最小となる分割数、ノズル数を決定する決定工程と、決定工程により決定した分割数で解析パターンを作成し、ノズル数のノズルの位置ずれシフト量の平均からヘッドモジュール間の位置ずれシフト量を計算するシフト量計算工程と、を有するヘッドモジュール間の位置ずれ解析方法を提供する。
【０００９】
本発明によれば、印字パターンの分割数、および、各分割数の分割パターンにおける標準誤差の計算に使用するノズル数を変更することで、ヘッドモジュール間の位置ずれシフト量標準誤差の最小値を求めている。したがって、標準誤差の最小値となる分割数、ノズル数によりヘッドモジュール間の位置ずれシフト量を計算することで、ヘッドモジュール間の位置ずれシフト量の精度を向上させることができる。
【００１０】
本発明の他の態様に係るヘッドモジュール間の位置ずれ解析方法は、分割パターン作成工程の分割を、ノズルラインを等間隔に分割することが好ましい。
【００１１】
本発明の他の態様に係るヘッドモジュール間の位置ずれ解析方法によれば、分割パターン作成工程の分割をノズルラインの間隔が等しい等分割としているので、パターンの作成を容易に行うことができる。また、目視で確認した場合においても、吐出状態の良し悪しを判断することができる。
【００１２】
本発明の他の態様に係るヘッドモジュール間の位置ずれ解析方法は、決定工程後に、決定工程により決定した分割数で、少なくとも１つ以上のノズルを他方のモジュールのノズルに変更し、分割パターンを作成する分割パターン変更工程を有し、分割パターン変更工程後の分割パターンで、変換係数計算工程と、標準誤差計算工程と、を行うことが好ましい。
【００１３】
本発明の他の態様に係るヘッドモジュール間の位置ずれ解析方法によれば、ノズルの間隔を等しい分割パターンを作成し、分割数、ノズル数を決定した後、決定した分割パターンで、さらに、少なくとも１つ以上のノズルを他のモジュールでノズルに変更し、同様の方法で標準誤差を計算している。形成される分割パターンが、ノズルを隣り合うモジュール同士で入れ替わるパターンを増やしているため、標準誤差をより小さくすることができるので、Δｘの精度をさらに向上させることができる。
【００１４】
本発明の他の態様に係るヘッドモジュール間の位置ずれ解析方法は、分割パターン作成工程の分割を、ノズルラインのノズルの間隔が等間隔でなく分割することが好ましい。
【００１５】
本発明の他の態様に係るヘッドモジュール間の位置ずれ解析方法によれば、分割パターンをノズルラインの間隔を非等分割で分割することで、ノズルを隣り合うモジュール同士で入れ替わるパターンを増やしているので、標準誤差をより小さくすることができ、Δｘの精度をさらに向上させることができる。
【００１６】
本発明の他の態様に係るヘッドモジュール間の位置ずれ解析方法は、標準誤差を、変換係数×ランダム着弾ずれ／√（計算に使う総ノズル数）で計算することが好ましい。
【００１７】
本発明の他の態様に係るヘッドモジュール間の位置ずれ解析方法によれば、標準誤差は上記式で計算することができる。
【００１８】
本発明の他の態様に係るヘッドモジュール間の位置ずれ解析方法は、標準誤差計算工程において、変換係数の小さいノズルから使用し、標準誤差偏差を計算することが好ましい。
【００１９】
本発明の他の態様に係るヘッドモジュール間の位置ずれ解析方法によれば、変換係数の小さいノズルを用いて標準誤差を計算することで、標準誤差を小さくすることができ、Δｘの精度を向上させることができる。
【００２０】
本発明の他の態様に係るヘッドモジュール間の位置ずれ解析方法は、シフト量計算工程におけるヘッドモジュール間の位置ずれシフト量は、各ノズルの変換係数×位置ずれ量から求め、位置ずれ量は、解析パターンのノズルの両側の分割パターンのノズルラインを用いて近似曲線を作成し、該当するノズルの近似曲線の位置と、実際の打滴位置との差により求めることが好ましい。
【００２１】
本発明の他の態様に係るヘッドモジュール間の位置ずれ解析方法によれば、実際の位置ずれ量の測定として、例えば、周囲のノズルから求めたあるべき位置と実際の位置との差により求めることができる。
【００２２】
本発明の他の態様に係るヘッドモジュール間の位置ずれ解析方法は、近似曲線に用いられるノズルの数が、該当するノズルの両側のそれぞれ１５本を用いることが好ましい。
【００２３】
本発明の他の態様に係るヘッドモジュール間の位置ずれ解析方法によれば、近似曲線の作成に用いる周囲のノズルとして、ずれ量を測定するノズルの両側１５本とすることで、所望の精度でずれ量を求めることができる。
【００２４】
本発明は前記目的を達成するために、上記記載のヘッドモジュール間の位置ずれ解析方法をコンピュータに起動させるためのプログラムを提供する。
【００２５】
本発明によれば、上記記載のヘッドモジュール間の位置ずれ解析方法をプログラムとして用いることができる。
【００２６】
本発明は前記目的を達成するために、上記記載のヘッドモジュール間の位置ずれ解析方法により測定したヘッドモジュール間の位置ずれシフト量Δｘを用いて、ヘッドモジュール間の位置を調整するインクジェットヘッドの調整方法を提供する。
【００２７】
本発明によれば、ヘッドモジュール間の位置ずれシフト量Δｘを精度良く求めることができるので、このΔｘに基づいてインクジェットヘッドを調整することで、位置ずれシフト量Δｘを小さくすることができる。
【発明の効果】
【００２８】
本発明のヘッドモジュール間の位置ずれ解析方法、プログラムおよび、インクジェットヘッドの調整方法によれば、標準誤差が小さくなる印字パターンの分割数、ノズル数を事前に求めて、ヘッドモジュール間の位置ずれシフト量を求めているので、位置ずれシフト量の精度を向上させることができる。また、この位置ずれシフト量に基づいてヘッドモジュールの調整を行なうことで、さらに、位置ずれシフト量を小さくすることができる。
【図面の簡単な説明】
【００２９】
【図１】インクジェット記録装置の全体構成図である。
【図２】図１に示すインクジェットヘッドの構成例を示す平面図である。
【図３】図２の一部拡大図である。
【図４】図２に示すヘッドモジュールの平面透視図である。
【図５】ヘッドモジュール間の着弾位置ずれシフト量の計算方法を示すフローチャート図である。
【図６】１２分割で分割パターンを作成した解析チャート図である。
【図７】モジュールつなぎ付近のノズル配置（ａ）、（ｂ）、および、打滴位置とノズルとの関係（ｃ）を示す図である。
【図８】１２分割の分割パターンでのノズルラインとモジュールの関係を示す図である。
【図９】１２分割の分割パターンでのノズルラインＡ１（ａ）、Ａ２（ｂ）の近似曲線作成のための、ノズルと座標の関係を示す表図である。
【図１０】１２分割の分割パターンでのノズルラインと変換係数の関係を示す表図である。
【図１１】１２分割の分割パターンでの総ノズル数と標準誤差の関係を示す表図である。
【図１２】１１分割の分割パターンでのノズルラインとモジュールの関係を示す図である。
【図１３】１１分割の分割パターン３のノズルラインＡ１の近似曲線作成のための、ノズルと座標の関係を示す表図である。
【図１４】１０分割の分割パターンでのノズルラインとモジュールの関係を示す図である。
【図１５】１０分割の分割パターンでの総ノズル数と標準誤差の関係を示す表図である。
【図１６】分割数、総ノズル数と標準誤差の関係を示す表図である。
【図１７】１１分割の等分割パターンを非等分割パターンにする一例を示す図である。
【図１８】図１７の非等分割パターン３のノズルラインＡ１の近似曲線作成のための、ノズルと座標の関係を示す表図である。
【図１９】図１７の非等分割パターンでの総ノズル数と標準誤差の関係を示す表図である。
【図２０】ヘッドモジュールの形状の他の例を示す図である。
【発明を実施するための形態】
【００３０】
以下、添付図面に従って本発明の好ましい実施の形態について説明する。
【００３１】
まず、本発明が適用されるヘッドモジュール、複数のヘッドモジュールからなるインクジェットヘッド、インクジェットヘッドを有するインクジェット記録装置について説明する。
【００３２】
≪インクジェット記録装置の全体構成≫
まず、インクジェット記録装置の全体構成について説明する。図１は、インクジェット記録装置の全体構成を示した構成図である。
【００３３】
このインクジェット記録装置１０は、描画部１６の圧胴（描画ドラム７０）に保持された記録媒体２４（便宜上「用紙」と呼ぶ場合がある。）にインクジェットヘッド７２Ｍ、７２Ｋ、７２Ｃ、７２Ｙから複数色のインクを打滴して所望のカラー画像を形成する圧胴直描方式のインクジェット記録装置であり、インクの打滴前に記録媒体２４上に処理液（ここでは凝集処理液）を付与し、処理液とインク液を反応させて記録媒体２４上に画像形成を行なう２液反応（凝集）方式が適用されたオンデマンドタイプの画像形成装置である。
【００３４】
図示のように、インクジェット記録装置１０は、主として、給紙部１２、処理液付与部１４、描画部１６、乾燥部１８、定着部２０、および排出部２２を備えて構成される。
【００３５】
（給紙部）
給紙部１２は、記録媒体２４を処理液付与部１４に供給する機構であり、当該給紙部１２には、枚葉紙である記録媒体２４が積層されている。給紙部１２には、給紙トレイ５０が設けられ、この給紙トレイ５０から記録媒体２４が一枚ずつ処理液付与部１４に給紙される。
【００３６】
本例のインクジェット記録装置１０では、記録媒体２４として、紙種や大きさ（用紙サイズ）の異なる複数種類の記録媒体２４を使用することができる。給紙部１２において各種の記録媒体をそれぞれ区別して集積する複数の用紙トレイ（不図示）を備え、これら複数の用紙トレイの中から給紙トレイ５０に送る用紙を自動で切り換える態様も可能であるし、必要に応じてオペレータが用紙トレイを選択し、若しくは交換する態様も可能である。なお、本例では、記録媒体２４として、枚葉紙（カット紙）を用いるが、連続用紙（ロール紙）から必要なサイズに切断して給紙する構成も可能である。
【００３７】
（処理液付与部）
処理液付与部１４は、記録媒体２４の記録面に処理液を付与する機構である。処理液は、描画部１６で付与されるインク中の色材（本例では顔料）を凝集させる色材凝集剤を含んでおり、この処理液とインクとが接触することによって、インクは色材と溶媒との分離が促進される。
【００３８】
図１に示すように、処理液付与部１４は、給紙胴５２、処理液ドラム５４、および処理液塗布装置５６を備えている。処理液ドラム５４は、記録媒体２４を保持し、回転搬送させるドラムである。処理液ドラム５４は、その外周面に爪形状の保持手段（グリッパー）５５を備え、この保持手段５５の爪と処理液ドラム５４の周面の間に記録媒体２４を挟み込むことによって記録媒体２４の先端を保持できるようになっている。処理液ドラム５４は、その外周面に吸着穴を設けるとともに、吸着穴から吸引を行なう吸引手段を接続してもよい。これにより記録媒体２４を処理液ドラム５４の周面に密着保持することができる。
【００３９】
処理液ドラム５４の外側には、その周面に対向して処理液塗布装置５６が設けられる。処理液塗布装置５６は、処理液が貯留された処理液容器と、この処理液容器の処理液に一部が浸漬されたアニックスローラと、アニックスローラと処理液ドラム５４上の記録媒体２４に圧接されて計量後の処理液を記録媒体２４に転移するゴムローラとで構成される。この処理液塗布装置５６によれば、処理液を計量しながら記録媒体２４に塗布することができる。
【００４０】
処理液付与部１４で処理液が付与された記録媒体２４は、処理液ドラム５４から中間搬送部２６を介して描画部１６の描画ドラム７０へ受け渡される。
【００４１】
（描画部）
描画部１６は、描画ドラム（第２の搬送体）７０、用紙抑えローラ７４、およびインクジェットヘッド７２Ｍ，７２Ｋ，７２Ｃ，７２Ｙを備えている。描画ドラム７０は、処理液ドラム５４と同様に、その外周面に爪形状の保持手段（グリッパー）７１を備える。描画ドラム７０に固定された記録媒体２４は、記録面が外側を向くようにして搬送され、この記録面にインクジェットヘッド７２Ｍ，７２Ｋ，７２Ｃ，７２Ｙからインクが付与される。
【００４２】
インクジェットヘッド７２Ｍ，７２Ｋ，７２Ｃ，７２Ｙはそれぞれ、記録媒体２４における画像形成領域の最大幅に対応する長さを有するフルライン型のインクジェット方式の記録ヘッド（インクジェットヘッド）とすることが好ましい。インク吐出面には、画像形成領域の全幅にわたってインク吐出用のノズルが複数配列されたノズル列が形成されている。各インクジェットヘッド７２Ｍ，７２Ｋ，７２Ｃ，７２Ｙは、記録媒体２４の搬送方向（描画ドラム７０の回転方向）と直交する方向に延在するように設置される。
【００４３】
描画ドラム７０上に密着保持された記録媒体２４の記録面に向かって各インクジェットヘッド７２Ｍ，７２Ｋ，７２Ｃ，７２Ｙから、対応する色インクの液滴が吐出されることにより、処理液付与部１４で予め記録面に付与された処理液にインクが接触し、インク中に分散する色材（顔料）が凝集され、色材凝集体が形成される。これにより、記録媒体２４上での色材流れなどが防止され、記録媒体２４の記録面に画像が形成される。
【００４４】
なお、本例では、ＣＭＹＫの標準色（４色）の構成を例示したが、インク色や色数の組合せについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【００４５】
描画部１６で画像が形成された記録媒体２４は、描画ドラム７０から中間搬送部２８を介して乾燥部１８の乾燥ドラム７６へ受け渡される。
【００４６】
（乾燥部）
乾燥部１８は、色材凝集作用により分離された溶媒に含まれる水分を乾燥させる機構であり、図１に示すように、乾燥ドラム７６、および溶媒乾燥装置７８を備えている。
【００４７】
乾燥ドラム７６は、処理液ドラム５４と同様に、その外周面に爪形状の保持手段（グリッパー）７７を備え、この保持手段７７によって記録媒体２４の先端を保持できるようになっている。
【００４８】
溶媒乾燥装置７８は、乾燥ドラム７６の外周面に対向する位置に配置され、複数のＩＲヒータ８２と、各ＩＲヒータ８２の間にそれぞれ配置された温風噴出しノズル８０とで構成される。
【００４９】
各温風噴出しノズル８０から記録媒体２４に向けて吹き付けられる温風の温度と風量、各ＩＲヒータ８２の温度を適宜調節することにより、様々な乾燥条件を実現することができる。
【００５０】
また、乾燥ドラム７６の表面温度は５０℃以上に設定されている。記録媒体２４の裏面から加熱を行なうことによって乾燥が促進され、定着時における画像破壊を防止することができる。なお、乾燥ドラム７６の表面温度の上限については、特に限定されるものではないが、乾燥ドラム７６の表面に付着したインクをクリーニングするなどのメンテナンス作業の安全性（高温による火傷防止）の観点から７５℃以下（より好ましくは６０℃以下）に設定されることが好ましい。
【００５１】
乾燥ドラム７６の外周面に、記録媒体２４の記録面が外側を向くように（即ち、記録媒体２４の記録面が凸側となるように湾曲させた状態で）保持し、回転搬送しながら乾燥することで、記録媒体２４のシワや浮きの発生を防止でき、これらに起因する乾燥ムラを確実に防止することができる。
【００５２】
乾燥部１８で乾燥処理が行なわれた記録媒体２４は、乾燥ドラム７６から中間搬送部３０を介して定着部２０の定着ドラム８４へ受け渡される。
【００５３】
（定着部）
定着部２０は、定着ドラム８４、ハロゲンヒータ８６、定着ローラ８８、およびインラインセンサ９０で構成される。定着ドラム８４は、処理液ドラム５４と同様に、その外周面に爪形状の保持手段（グリッパー）８５を備え、この保持手段８５によって記録媒体２４の先端を保持できるようになっている。
【００５４】
定着ドラム８４の回転により、記録媒体２４は記録面が外側を向くようにして搬送され、この記録面に対して、ハロゲンヒータ８６による予備加熱と、定着ローラ８８による定着処理と、インラインセンサ９０による検査が行なわれる。
【００５５】
ハロゲンヒータ８６は、所定の温度（例えば、１８０℃）に制御される。これにより、記録媒体２４の予備加熱が行なわれる。
【００５６】
定着ローラ８８は、乾燥させたインクを加熱加圧することによってインク中の自己分散性熱可塑性樹脂微粒子を溶着し、インクを皮膜化させるためのローラ部材であり、記録媒体２４を加熱加圧するように構成される。具体的には、定着ローラ８８は、定着ドラム８４に対して圧接するように配置されており、定着ドラム８４との間でニップローラを構成するようになっている。これにより、記録媒体２４は、定着ローラ８８と定着ドラム８４との間に挟まれ、所定のニップ圧（例えば、０．１５ＭＰａ）でニップされ、定着処理が行なわれる。
【００５７】
また、定着ローラ８８は、熱伝導性の良いアルミなどの金属パイプ内にハロゲンランプを組み込んだ加熱ローラによって構成され、所定の温度（たとえば６０〜８０℃）に制御される。この加熱ローラで記録媒体２４を加熱することによって、インクに含まれる熱可塑性樹脂微粒子のＴｇ温度（ガラス転移点温度）以上の熱エネルギーが付与され、熱可塑性樹脂微粒子が溶融される。これにより、記録媒体２４の凹凸に押し込み定着が行なわれるとともに、画像表面の凹凸がレベリングされ、光沢性が得られる。
【００５８】
なお、図１の実施形態では、定着ローラ８８を１つだけ設けた構成となっているが、画像層厚みや熱可塑性樹脂微粒子のＴｇ特性に応じて、複数段設けた構成でもよい。
【００５９】
一方、インラインセンサ９０は、記録媒体２４に定着された画像について、チェックパターンや水分量、表面温度、光沢度などを計測するための計測手段であり、ＣＣＤラインセンサなどが適用される。
【００６０】
上記の如く構成された定着部２０によれば、乾燥部１８で形成された薄層の画像層内の熱可塑性樹脂微粒子が定着ローラ８８によって加熱加圧されて溶融されるので、記録媒体２４に固定定着させることができる。また、定着ドラム８４の表面温度を５０℃以上に設定することで、定着ドラム８４の外周面に保持された記録媒体２４を裏面から加熱することによって乾燥が促進され、定着時における画像破壊を防止することができるとともに、画像温度の昇温効果によって画像強度を高めることができる。
【００６１】
また、インク中にＵＶ硬化性モノマーを含有させた場合は、乾燥部で水分を充分に揮発
させた後に、ＵＶ照射ランプを備えた定着部で、画像にＵＶを照射することで、ＵＶ硬化性モノマーを硬化重合させ、画像強度を向上させることができる。
【００６２】
（排出部）
図１に示すように、定着部２０に続いて排出部２２が設けられている。排出部２２は、排出トレイ９２を備えており、この排出トレイ９２と定着部２０の定着ドラム８４との間に、これらに対接するように渡し胴９４、搬送ベルト９６、張架ローラ９８が設けられている。記録媒体２４は、渡し胴９４により搬送ベルト９６に送られ、排出トレイ９２に排出される。
【００６３】
また、図には示されていないが、本例のインクジェット記録装置１０には、上記構成の他、各インクジェットヘッド７２Ｍ，７２Ｋ，７２Ｃ，７２Ｙにインクを供給するインク貯蔵／装填部、処理液付与部１４に対して処理液を供給する手段を備えるとともに、各インクジェットヘッド７２Ｍ，７２Ｋ，７２Ｃ，７２Ｙのクリーニング（ノズル面のワイピング、パージ、ノズル吸引等）を行なうヘッドメンテナンス部や、用紙搬送路上における記録媒体２４の位置を検出する位置検出センサ、装置各部の温度を検出する温度センサなどを備えている。
【００６４】
図２は、ヘッド７２の構造例を示す平面図であり、ヘッド７２をノズル面７２Ａ側から見た図である。また、図３は図２の一部拡大図である。
【００６５】
図２に示すように、ヘッド７２はｎ個のヘッドモジュール７２−ｉ（ｉ＝１，２，３，…，ｎ）を長手方向（記録媒体２４（図１参照）の搬送方向と直交する方向）に沿ってつなぎ合わせた構造を有し、記録媒体の全幅に対応する長さにわたって複数のノズル（図２中不図示）が設けられている。
【００６６】
各ヘッドモジュール７２−ｉは、ヘッド７２における短手方向の両側からヘッドモジュール支持部材７２Ｂによって支持されている。また、ヘッド７２の長手方向における両端部はヘッド支持部材７２Ｄによって支持されている。
【００６７】
図３に示すように、各ヘッドモジュール７２−ｉ（ｎ番目のヘッドモジュール７２−ｎ）は、複数のノズルがマトリクス状に配列された構造を有している。図３において符号１５１Ａを付して図示した斜めの実線は、複数のノズルが一列に並べられたノズル列を表している。
【００６８】
図４（ａ）は、ヘッドモジュール７２−ｉの平面透視図であり、図４（ｂ）はその一部の拡大図である。
【００６９】
記録媒体２４上に形成されるドットピッチを高密度化するためには、ヘッド７２におけるノズルピッチを高密度化する必要がある。本例のヘッドモジュール７２−ｉは、図４（ａ）、（ｂ）に示すように、インク吐出口であるノズル１５１と、各ノズル１５１に対応する圧力室１５２等からなる複数のインク室ユニット（記録素子単位としての液滴吐出素子）１５３を千鳥でマトリクス状に（２次元的に）配置させた構造を有し、これにより、ヘッド長手方向（記録媒体２４の搬送方向と直交する方向；主走査方向）に沿って並ぶように投影される実質的なノズル間隔（投影ノズルピッチ）の高密度化を達成している。
【００７０】
各ノズル１５１に対応して設けられている圧力室１５２は、その平面形状が概略正方形となっており、対角線上の両隅部の一方にノズル１５１が設けられ、他方に供給口１５４が設けられている。なお、圧力室１５２の形状は、本例に限定されず、平面形状が四角形（菱形、長方形など）、五角形、六角形その他の多角形、円形、楕円形など、多様な形態
があり得る。
【００７１】
かかる構造を有するインク室ユニット１５３を図４（ｂ）に示す如く、主走査方向に沿う行方向および主走査方向に対して直交しない一定の角度θを有する斜めの列方向に沿って一定の配列パターンで格子状に多数配列させることにより、本例の高密度ノズルヘッドが実現されている。
【００７２】
即ち、主走査方向に対してある角度θの方向に沿ってインク室ユニット１５３を一定のピッチｄで複数配列する構造により、主走査方向に並ぶように投影されたノズルのピッチＰはｄ×ｃｏｓθとなり、主走査方向については、各ノズル１５１が一定のピッチＰで直線状に配列されたものと等価的に取り扱うことができる。このような構成により、主走査方向に並ぶように投影されるノズル列が１インチ当たり２４００個（２４００ノズル／インチ）におよぶ高密度のノズル構成を実現することが可能になる。
【００７３】
なお、本発明の実施に際してノズルの配置構造は図示の例に限定されず、副走査方向に一列のノズル列を有する配置構造など、様々なノズル配置構造を適用できる。
【００７４】
≪モジュール間の着弾位置ずれシフト量の計算≫
着弾位置ずれシフト量の精度をより向上させて計算を行う計算方法について説明する。図５は着弾位置ずれシフト量の計算方法を示すフローチャート図である。
【００７５】
図５に示すように、まず、印字に使用するインクジェットヘッドのヘッドバーを決定する（ステップＳ１１）。次に、インクの着弾位置を検査するための解析チャートの分割数（ｎ）を決定するためのループを開始する。まず、任意の分割数を決定し、その分割数で、印字パターンを形成する（ステップＳ１２）。そして、その分割数に応じて各ノズルに対する変換係数の計算を行う（ステップＳ１３）。次に、計算に使用するノズル数（母集団）を決定するためのループを開始する。ステップＳ１３で計算した変換係数の小さい順に計算に用いる総ノズル数（母集団）決定し、標準誤差を計算する（ステップＳ１４）。
【００７６】
ステップＳ１４で標準誤差の計算を行った後、総ノズル数（母集団）を変更して、ステップＳ１４に戻り、標準誤差の計算を行う。総ノズル数が隣り合うモジュールのノズルが入り組む領域のノズル数まで計算を行う（ステップＳ１５）。ステップＳ１４、ステップＳ１５で計算した標準誤差の中から最小となる総ノズル数を決定する（ステップＳ１６）。分割数内で最小の標準誤差を決定したら、分割数の数を［分割数（ｎ）＋１］に変更し、ステップＳ１２に戻り、ステップＳ１２〜ステップＳ１６を行い、分割数＋１の分割数内で、最小の標準誤差となる総ノズル数を決定する。分割数＝２０までの最小の標準誤差となるノズル数を求めたら（ステップＳ１７）、標準誤差が最小となる分割数とその時の総ノズル数を求め、その時の分割数を印字サンプル（解析チャート）として決定し、母集団ノズル数を着弾位置ずれシフト量（Δｘ）を計算するためのノズル数とする（ステップＳ１８）。
【００７７】
また、ステップＳ１２〜ステップＳ１８については、ノズルの分割を均等に分割する方法で行っているが、さらに、ノズルの分割を非等分割で行うことで、標準誤差を小さくし、より精度を高くすることもできる（ステップＳ１９）。ステップＳ１８で求めた分割数で、ノズルの分割を非等分割とし、等分割の場合と同様に、図５に示すステップＳ１３〜ステップＳ１６で、標準誤差の最小値を求めることで、総ノズル数の決定を行う（ステップＳ２０）。ステップＳ２０で求めた総ノズル数で着弾位置ずれシフト量を計算することで、ステップＳ１８で求めた総ノズル数で計算するよりも精度良く着弾位置ずれシフト量の計算を行うことができる。
【００７８】
また、図５に示す各工程をコンピュータに起動させるためのプログラムとして用いることができる。
【００７９】
次に各工程について説明する。
【００８０】
（ステップＳ１１）インクジェットヘッドの決定
画像形成に用いるインクジェットヘッドの決定を行う。
【００８１】
（ステップＳ１２）分割数（ｎ）の決定（分割パターン作成工程）
本実施例では、記録媒体搬送方向垂直に１２００ｄｐｉでノズルが並ぶとする。図６は分割数１２の等分割で解析チャートを作成した図である。例えば１２分割パターンの場合は、１バンド（帯）は１００ｄｐｉでラインが並ぶことになる。なお、本実施形態において、分割数１２で等分割するとは、１１本のノズルラインの間隔を開けて分割パターンを形成する場合のことをいう。分割数３では、２本のノズルラインの間隔を開けて、分割数４では、３本のノズルラインの間隔を開けて、分割数ｋでは、（ｋ−１）本のノズルラインの間隔を開けて分割パターンを形成する場合のことをいう。
【００８２】
分割数は、少なすぎると、各ヘッドモジュールにより書かれる線が重なるため、着弾位置ずれが測定できず好ましくない。また、分割数を増やしすぎても、印刷したときの印刷範囲が長くなるので好ましくない。また、分割数を増やしても、測定精度は上がらない。１２００ｄｐｉのヘッドでは、等分割で行う場合は、８分割から１２分割に等分して検討すれば十分であり、描画される線の太さ、許容される印刷範囲に応じて適宜変更することができる。
【００８３】
（ステップＳ１３）変換係数計算（変換係数計算工程）
変換係数算出のための前提として、（１）一方のヘッドモジュールの着弾位置ずれが、他方のモジュールＢの着弾位置ずれに対して、＋Δｘシフトしている、（２）ランダムな着弾位置ずれ量ゼロと計算上仮定する。
【００８４】
図７（ａ）は、本実施形態で使用したインクジェットヘッドバーのモジュールつなぎ付近の図であり、図７（ｂ）はつなぎ付近のノズルの配置、図７（ｃ）は打滴した際のライン並びである。図７に示すように、ヘッドモジュール間のつなぎ付近の隙間を埋めるために、モジュールＡのノズルとモジュールＢのノズルがつなぎ付近では入り組んで配置されている。本実施形態においては、図７（ｃ）の左からモジュールＢのノズルが配置されてからＢＡＡＡの周期で８周期、ＢＢＡＡの周期で８周期、ＢＢＢＡの周期で８周期の合計９６個のノズルが入り組んでモジュール間の隙間を埋めるように画像を形成している。
【００８５】
図８（ａ）は、１２分割パターンとした時のバンドのモジュールつなぎ付近のライン並びである。１２分割で行った場合は、これと同じ並びのバンドがあと１１バンド存在する。図７（ｃ）に示すように、本実施形態の場合は、モジュールＡとモジュールＢのノズルが４本周期で重なるため、１２分割の場合、図８（ａ）に示す１種類のノズルの組み合わせとなる。図８（ｂ）は、分割パターンのバンドのノズルラインの幅を説明する図である。同じモジュールにおいては、各ノズルラインの幅は均一でｐとなるが、モジュールＡとモジュールＢとでモジュール間着弾位置ずれシフト量Δｘがあると、ノズルラインＡ１とノズルラインＢ１との幅がｐ＋Δｘとなる。したがって、この状態で画像を形成すると、モジュールＡのノズルで打滴した部分に、モジュールＢで打滴した液滴がΔｘの量だけずれて打滴されるため、液滴が重なり、画像品質が低下する場合がある。
【００８６】
以下、変換係数の計算方法として、図８（ｂ）を例に具体例を挙げて説明する。
【００８７】
あるノズル（本実施形態においては「Ａ１」）の変換係数を求める場合、ノズルＡ１の両側の複数のノズルを用いて、近似曲線を書き、ノズルＡ１のあるべき位置を調べる。ここでは、変換係数を求めるノズルの両側１５本を用いて近似曲線を書きノズルＡ１のあるべき位置（着弾位置ずれ量）を調べる。ノズルＡ１の着弾位置ずれ量を計算するときは、Ａ１の両側１５本ずつのノズルを使用するので、Ａ１６、Ａ１５、Ａ１４、・・・・・・、Ａ４、Ａ３、Ａ２、Ｂ１、Ｂ２、Ｂ３、・・・・・・、Ｂ１３、Ｂ１４、Ｂ１５の３０本のラインを使用する。また、ノズルＡ２の着弾位置ずれ量を計算するときは、Ａ２の両側１５本ずつのノズルを使用するので、Ａ１７、Ａ１６、Ａ１５、・・・・・・、Ａ５、Ａ４、Ａ３、Ａ１、Ｂ１、Ｂ２、・・・・・・Ｂ１２、Ｂ１３、Ｂ１４の３０本のラインを使用する。
【００８８】
図９（ａ）がラインＡ１の近似曲線を作成するために使用するノズル番号と座標、図９（ｂ）がラインＡ２の近似曲線を作成するために使用するノズル番号と座標である。なお、図９においては、近似曲線を作成するためのラインの最も左側をノズル＃１として記載している。したがって、図９（ａ）と図９（ｂ）のノズル＃とノズルの位置は異なっている。また、表中ｐはラインピッチであり、本実施形態においては、１２００ｄｐｉの１２分割パターンであるので、ｐ＝２５４μｍで計算を行う。また、モジュールつなぎ部着弾位置ずれ量Δｘを仮に１μｍとして計算する。なお、Δｘは、変換係数を求める際に、Δｘを着弾ずれ量で割る計算を行うため、Δｘの数値はどの数値を用いても結果は同じとなる。
【００８９】
このように３０本のライン（ヘッド）で近似曲線を作成し、Ａ１ライン、Ａ２ラインがあるべき位置を調べる。なお、近似曲線を作成する際は、Ａ１ラインのあるべき位置を求める場合はＡ１ラインを、Ａ２ラインがあるべき位置を求める場合はＡ２ラインの座標を計算に用いずに求める。計算を行うとＡ１ラインのあるべき位置は、−０．５μｍとなり、Ａ１ラインは、本当は座標０の位置にあるので、Δｘ＝１μｍの影響により、着弾ずれ量が−０．５μｍとなる。
【００９０】
モジュールつなぎ部着弾ずれシフト量Δｘは、Δｘ＝変換係数×着弾位置ずれ量により求めることができるので、Ａ１ラインの変換係数＝Δｘ÷（−０．５）＝１÷（−０．５）が求まり「−２」となる。
【００９１】
同様に、Ａ２ラインについては、Ａ２ラインのあるべき位置は、−０．４３μｍとなり、着弾ずれ量が−０．４３μｍとなるので、Ａ２ラインの変換係数は、Δｘ÷（-０．４３）＝１÷（−０．４３）＝−２．４８となる。
【００９２】
以下同様にして、Ａ３ライン、Ａ４ライン、Ｂ１ライン、Ｂ２ライン、Ｂ３ライン、Ｂ４ラインについても求めるノズルの両側１５本ずつ計３０本のノズルラインを用いて変換係数を求める。
【００９３】
図１０に、求めた変換係数の結果を示す。１２分割パターンの場合は、図８に示すライン並びのみであるため、ノズルＡ１とノズルＢ１とで、変換係数が符号を逆にし、対称になっている。
【００９４】
変換係数は、次の（ステップＳ１４）標準誤差の計算に用いるノズルについて調べる。
【００９５】
（ステップＳ１４）標準誤差の計算（標準誤差計算工程）
次に、ステップＳ１３で用いた変換係数を用いて、標準誤差の計算を行う。なお、標準誤差は、次の式により求めることができる。
【００９６】
（標準誤差）＝（変換係数の平均値）×（ランダム着弾位置ずれσ）÷（√計算に使う総ノズル数）
総ノズル数の最小値は変換係数が最小のノズルラインの数により決定する。また、ランダム着弾位置ずれσは、バー全体のノズル数の着弾位置ずれ量の標準偏差σである。なお、本実施形態においては、一つのモジュールに２０４８個のノズルを有する平行四辺形のモジュールを１７個並べたバーを用いているので、バー全体のノズル数は３４７２０個となる。
【００９７】
上記着弾位置ずれ量は、実際に測定した値を用いて計算する。具体的には、下記ステップＳ２１で着弾位置ずれ量を計算する場合と同様の方法で行うことができ、印字サンプルの各ラインのＸ方向（記録媒体の搬送方向と直交方向）の座標から近似曲線を作成し、近似曲線から着弾位置ずれ量を計算する。近似曲線は、求めるラインの両側Ｎ本（例えば１５）本のライン（求めるラインの座標データは計算に使用しない）の座標データから近似曲線を作成する。この近似曲線から求めるラインのノズルがあるべき座標を求める。そして、あるべき座標と実際の座標との差が、求めるライン（該当ノズル）の着弾位置ずれ量となる。
【００９８】
上記の方法でバー全体のノズル数について着弾位置ずれ量を計算し、その標準誤差がランダム着弾位置ずれσとなる。なお、ランダム着弾位置ずれσは、実際に求めた値であるが、使用するインクジェットヘッドによりほぼ定数となり、本実施形態においては、定数として３を用いて計算する。
【００９９】
（ステップＳ１５）ノズル数の変更（標準誤差計算工程）
次に標準誤差の計算に用いる総ノズル数を変更し、（ステップＳ１４）標準誤差の計算と同様に、標準誤差の計算を行う。計算に用いるノズルは、変換係数の小さいノズルから使用することが好ましい。標準誤差は、上記式により求められるため、変換係数の小さい数値の方が、標準誤差が小さくなる可能性があるからである。総ノズル数の変更方法は、そこまでの計算に含めた変換係数の，次に大きい変換係数のノズルラインの数だけ増やすことにより行うことができる。また、総ノズル数の最大値は、モジュールＡとモジュールＢのノズルが入り組んだ領域までで十分である。それ以上のノズル数を計算に用いても他方のモジュールの影響があまり無いからである。
【０１００】
（ステップＳ１６）標準誤差の最小値決定（標準誤差計算工程）
ステップＳ１５、Ｓ１６で総ノズル数を変更しながら、標準誤差を計算することで、モジュール間の着弾位置ずれシフト量Δｘの測定誤差が最小化されるノズル数を調べる。
【０１０１】
計算に使う総ノズル数を増やすことにより、上記標準誤差の計算式の分母を減らすことができる。一方、他方のモジュールから離れたノズルは変換係数が大きいので，上記計算式の分子が大きくなる。結果として，計算に使う総ノズルを増やしていくとあるところで誤差が最小になる。この誤差を最小にすることができるノズル数を１２分割パターンにおける母集団ノズル数として決定する。
【０１０２】
図１１に総ノズル数と標準誤差の結果を示す。図１１に示すように、１２分割パターンの場合は、総ノズル数７２個の場合に、標準誤差が小さくなるので、Δｘの測定誤差が最小化されることが確認できる。
【０１０３】
図１１においては、総ノズル数２４個においては、ラインＡ１、Ｂ１を用い、これが１２分割あるので、総ノズル数が２４個となる。変換係数平均は、ラインＡ１、Ｂ１の変換係数の平均値となる。同様に、総ノズル数４８個においては、ラインＡ２、Ａ１、Ｂ１、Ｂ２を用い、これが１２分割であるので、総ノズル数が４８個となり、変換係数もラインＡ２、Ａ１、Ｂ１、Ｂ２の平均値となる。
【０１０４】
（ステップＳ１７）分割数変更（繰り返し工程）
次に分割数を変更して、ステップＳ１３〜Ｓ１６の１２分割と同様の方法により、変換係数を求め、総ノズル数を変更しながら、モジュール間の着弾位置ずれ量Δｘの測定誤差が最小化されるノズル数、すなわち、標準誤差が最小となるノズル数を計算する。
【０１０５】
分割数を変更した例として、１１分割の場合について説明する。
【０１０６】
分割パターンを１１とした場合は、モジュールつなぎ付近の並びは図１２に示すように３パターン存在する。上述したように、本実施形態で使用したノズルは、４本周期で構成されているため、１１分割とした場合は、モジュールＡのノズルとモジュールＢのノズルが、入り組んだ状態となる。
【０１０７】
１１分割の場合は、図１２の（ａ）パターン１が５個、（ｂ）パターン２が３個、（ｃ）パターン３が３個存在する。
【０１０８】
ここでは、図１２（ｃ）パターン３のＡ１ラインの変換係数を求める方法について説明する。ラインＡ１の近似曲線を作成するために使用するノズル番号と座標の関係を図１３に示す。ｐ＝２５４μｍ、Δｘ＝１μｍを代入して近似曲線を作成する。そしてＡ１ラインのある位置（ノズル＃＝１６６）を求めると、Ａ１ラインのある位置は、−０．７５μｍとなる。Ａ１ラインは、本来、座標ゼロの位置にあるので、Δｘ＝１μｍの影響により着弾ずれ量が−０．７５μｍになる。逆算することにより、変換係数を求めることができ、変換係数＝Δｘ÷（−０．７５）＝１÷（−０．７５）＝−１．３４となる。
【０１０９】
他のラインについても同様の方法により変換係数を求める。
【０１１０】
また、変換係数の求め方は示さないが、１０分割のパターンを図１４に示す。図１４に示すように、１０分割の場合は、モジュールＡとモジュールＢとで、ノズルの入れ替わりが図１４（ａ）〜（ｃ）の４パターン存在する。このような場合においても、１１分割、１２分割と同様の方法により変換係数を求めることができる。
【０１１１】
図１５は、分割パターンが１０分割の場合における変換係数が小さい順に計算に用いるノズル数（母集団）を増やした場合の標準誤差の関係を示す表図である。図１５に示すように、１０分割の場合は、母集団ノズル数５４個の場合に、モジュール間の着弾位置ずれシフト量Δｘが最小値となることが確認される。
【０１１２】
このようにして、分割数を変更し、それぞれの分割数における分割パターンで、標準誤差が最小となる総ノズル数を計算する。分割数は、使用するインクジェットヘッドにより、適宜設定することができるが、最大で２０分割まで行えば十分である。
【０１１３】
（ステップＳ１８）分割数、総ノズル数の決定（決定工程）
ステップＳ１２〜Ｓ１７を行い、Δｘに用いる分割パターンの分割数と総ノズル数を決定する。
【０１１４】
図１６に、８分割から１２分割における各分割パターンにおける標準誤差の最小値を表わす結果を示す。
【０１１５】
図１６に示すように、本実施形態で使用したインクジェットヘッドについては、印字パターンを９分割パターンにして、Δｘの計算に使用する総ノズル数（母集団）を５８本とすることでΔｘの誤差を最小にすることができる。または、印字パターンを１１分割とし、Δｘの計算に使用する総ノズル数（母集団）を６０本としてもよい。
【０１１６】
また、印字パターンを１０分割とし、Δｘの計算に使用するノズル数（母集団）を６６本にしても、上述した２パターンと標準誤差は、２％以下しか異ならないため、Δｘの計算に十分使用することができる。
【０１１７】
（ステップＳ１９）非等分割パターンで実施（分割パターン変更工程）
（ステップＳ１８）分割数、総ノズル数の決定、を行った後、分割パターンを非等分割とすることで、さらに、標準誤差を低くすることができる。上述した分割パターンにおいては、ノズルを等分割で分割し、印字パターンを作成したが、非等分割パターンにおいては、バンドのノズル間を一定にせずに実施する。
【０１１８】
非等分割パターンは、分割の仕方は特に限定されず、さまざまな分割パターンを取ることができるが、（ステップＳ１８）分割数、総ノズル数の決定で決定した分割数の任意のノズル間を変更して行うことが好ましい。等分割パターンで決定した標準誤差が最小の条件から、さらに、誤差を小さくする条件とすることができるからである。
【０１１９】
なお、ここでは、１１分割の等分割パターンを非等分割とした場合について説明する。
【０１２０】
１１分割の等分割パターンとした場合は、図１２に示すように、３種類のパターンが存在する。図１２（ｂ）パターン２および図１２（ｃ）パターン３を非等分割パターンにする。図１７は、１１分割の場合の（ａ）パターン１は等分割のままとし、（ｂ）パターン２と（ｃ）パターン３を非等分割とした場合の一例である。
【０１２１】
本実施形態においては、パターン２のＡ４ラインをＢ’、Ａ５ラインをＢ”とする。１２００ｄｐｉでみたとき、Ａ４ラインは、３画素分（６３．５μｍ）右のラインにすることで、別のモジュール側（モジュールＢ）のノズルを使ったパターンとなる。Ａ５ラインは、１画素分（２１．２μｍ）右のラインにすることで、モジュールＢのノズルを使ったパターンとなる。同様に、Ｂ３ラインをＡ’、Ｂ４ラインをＡ”とする。Ｂ３ラインは３画素分（６３．５μｍ）左のラインにすることで、Ｂ４ラインは１画素分（２１．２μｍ）左のラインにすることで、モジュールＡのノズルを使ったパターンとなる。
【０１２２】
同様に、パターン３については、Ａ４のラインを１２００ｄｐｉでみたときに１画素分（２１．２μｍ）右のラインにすると、モジュールＢのノズルを使ったパターンとすることができ、Ｂ５のラインを２画素分（４２．３μｍ）左のラインにすると、モジュールＡのノズルを使ったパターンとなる。
【０１２３】
次に、図１７（ｃ）に示すパターン３の非等分割パターンに変換係数の計算方法ついて説明する。図１８は、Ａ１ラインの近似曲線を作成するために使用するノズル番号と座標の関係を示す表図である。
【０１２４】
等分割パターンの時と同様に、ｐ＝２５４μｍ、Δｘ＝１μｍを代入して、近似曲線を作成する。３０本の線で近似曲線を作成し、Ａ１ラインのある位置（ノズル＃＝１６６）を求めると、Ａ１ラインのある位置は、−０．７２μｍとなる。Ａ１ラインは、本来、座標ゼロの位置にあるので、Δｘ＝１μｍの影響によって着弾位置ずれが−０．７２μｍになる。逆算することにより、変換係数を求めることができ、変換係数＝Δｘ÷（-０．７２）＝１÷（−０．７２）＝−１．３８となる。
【０１２５】
（ステップＳ２０）総ノズル数決定
このようにしてパターン変更した場合の各分割パターンの各ノズルラインの変換係数を計算し、総ノズル数を増やしながらΔｘの標準誤差が最小となる総ノズル数を決定する。
【０１２６】
結果を図１９に示す。図１９に示すように、図１７に示すような非等分割パターンで標準誤差を測定した場合、７４本のラインを使ってΔｘの平均値を求めることで、等分割のパターンより精度を高くすることができる。
【０１２７】
なお、非等分割パターンについては、上記では、等分割パターンでΔｘの標準誤差の低い分割パターンを用いて、いくつかのノズルを別のモジュールとすることで、非等分割パターンを形成しているが、非等分割パターンの作成方法はこれに限定されず、様々なパターンを作成することができる。
【０１２８】
また、等分割パターンを行わず、直接非等分割パターンにより標準誤差を測定することも可能である。この場合、適宜、パターンを設定することができる。
【０１２９】
（ステップＳ２１）モジュール間着弾位置ずれシフト量Δｘの計算（シフト量計算工程）
（ステップＳ１８）分割数、総ノズル数の決定、または、非等分割パターンで計算を行った場合は、（ステップＳ２０）総ノズル数決定、で求めた分割数、総ノズル数のノズルでモジュール間着弾ずれシフト量Δｘを計算する。
【０１３０】
Δｘ＝着弾位置ずれ量×変換係数、により求めることができる。
【０１３１】
着弾位置ずれ量は、求めた分割数で形成した印字サンプル（解析チャート）の各ラインのＸ方向（記録媒体の搬送方向と直交方向）の座標から近似曲線を作成し、近似曲線から着弾位置ずれ量を計算する。各ラインのＸ方向座標を求める方法としては特に限定されないが、たとえば、印刷サンプルを市販のスキャナにより画像ファイルに変換し、画像ファイル解析から各ラインのＸ方向座標を求めることができる。また、他の方法としては、ＣＣＤカメラを用いた画像化や、印刷機内に存在するインラインセンサによる画像化も可能である。ステージ付きの顕微鏡を用いて、求めることも可能である。
【０１３２】
次に、このデータを用いて、近似曲線を作成し、着弾ずれ量を計算する。近似曲線は、求めるラインの両側Ｎ本（例えば１５本）のライン（求めるラインの座標データは計算に使用しない）の座標データから、近似曲線を作成する。近似曲線は例えば、２次の近似曲線とすることができる。この近似曲線から求めるラインのノズルがあるべき座標を求める。そして、あるべき座標と実際の座標との差が、求めるライン（該当ノズル）の着弾位置ずれ量となる。
【０１３３】
この着弾位置ずれ量を各ノズルに対して求め、それぞれのノズルの変換係数をかけることで、各ノズルのモジュール間着弾位置ずれシフト量Δｘを計算することができる。（ステップＳ１８）分割数、総ノズル数の決定、または、非等分割パターンで計算を行った場合は、（ステップＳ２０）総ノズル数決定、で総ノズル数を求めるために使用したノズルについて、Δｘを計算し、このΔｘの平均値を求めることで、モジュール間着弾ずれシフト量Δｘを求めることができる。この求めたモジュール間着弾ずれシフト量Δｘは、標準誤差が小さい母集団ノズル数を用いて求めているので、求めたモジュール間着弾ずれシフト量Δｘも精度良く求めることができる。
【０１３４】
また、上記の方法で求めたモジュール間着弾ずれシフト量Δｘに基づいて、ヘッドモジュールの位置を調整することで、モジュール間着弾ずれシフト量Δｘをより小さくすることができる。
【０１３５】
＜インクジェットヘッドの他の実施形態＞
上記実施形態においては、図４（ａ）、図２０（ａ）に示すような平行四辺形のヘッドモジュールを並べた場合について説明したが、これに限定されず、図１９（ｂ）に示す四角形のヘッドモジュール１７２−ｉを一部が重なるように配置したインクジェットヘッドに用いることもできる。また、図１９（ｃ）に示すような、台形のヘッドモジュール２７２−ｉを並べた場合においても、適用することができる。
【符号の説明】
【０１３６】
１０…インクジェット記録装置、１２…給紙部、１４…処理液付与部、１６…描画部、１８…乾燥部、２０…定着部、２２…排出部、２４…記録媒体、７０…描画ドラム、７２…インクジェットヘッド、７２−ｉ、１７２−ｉ、２７２−ｉ…ヘッドモジュール、７２Ａ…ノズル面、７２Ｂ…ヘッドモジュール支持部材
【図１】
2014083720.tif 000003
【図２】
2014083720.tif 000004
【図３】
2014083720.tif 000005
【図４】
2014083720.tif 000006
【図５】
2014083720.tif 000007
【図６】
2014083720.tif 000008
【図７】
2014083720.tif 000009
【図８】
2014083720.tif 000010
【図９】
2014083720.tif 000011
【図１０】
2014083720.tif 000012
【図１１】
2014083720.tif 000013
【図１２】
2014083720.tif 000014
【図１３】
2014083720.tif 000015
【図１４】
2014083720.tif 000016
【図１５】
2014083720.tif 000017
【図１６】
2014083720.tif 000018
【図１７】
2014083720.tif 000019
【図１８】
2014083720.tif 000020
【図１９】
2014083720.tif 000021
【図２０】
2014083720.tif 000022